(57)【要約】【課題】収納ケースに斜面を伴う段差があっても、食品収納性を高めることができるようにする。【解決手段】底面に第一底面部１ｂとこれに上向き斜面１ａを介して連続する第二底面部１ｃとで形成される段差を有する収納ケース１の第一底面部１ｂの反斜面側の外縁部と中間部に、それぞれ第１の溝３と第２の溝４を並設するとともに、収納ケース１の第二底面部１ｃの斜面側内縁部に、第３の溝５を形成し、かつ収納ケース１内には、第１乃至第３の溝と選択的に係合可能な複数の係止部２ｂ，２ｃを有するＬ字型の仕切り部材２を着脱自在に設ける。【選択図】図１
2011012922.tif 000002
【特許請求の範囲】
【請求項１】
底面に第一底面部とこれに上向き斜面を介して連続する第二底面部とで形成される段差を有する収納ケースを備えた冷蔵庫において、
前記収納ケースの前記第一底面部の反斜面側の外縁部と中間部に、それぞれ第１の溝と第２の溝を並設するとともに、
前記収納ケースの前記第二底面部の斜面側内縁部に、第３の溝を形成し、
かつ前記収納ケース内には、前記第１乃至第３の溝と選択的に係合可能な複数の係止部を有するＬ字型の仕切り部材を着脱自在に設けたことを特徴とする冷蔵庫。
【請求項２】
前記Ｌ字型の仕切り部材は、そのＬ字型の一方の片が他方の片との交点部を超えて延出され、該延出部が、前記収納ケースの前記第１及び第３の溝と選択的に係合可能な第１の係止部として形成されているとともに、該一方の片の反第１の係止部側の端部が、前記収納ケース底面の前記第２の溝と係合可能な第２の係止部として形成され、
かつそのＬ字型の前記一方の片と前記他方の片の互いの長さは、該他方の片を前記斜面側に向けさせた状態で前記一方の片の前記第２の係止部を前記第２の溝と係合させたとき、前記他方の片の先端が前記斜面の上辺部に当接して、該他方の片と前記第二底面部とが面一となる長さに設定されていることを特徴とする請求項１記載の冷蔵庫。
【請求項３】
前記Ｌ字型の仕切り部材の一方の片は、前記第２の係止部が二股に分かれた門型に形成されていることを特徴とする請求項２記載の冷蔵庫。
【発明の詳細な説明】
【技術分野】
【０００１】
本発明は、底面に斜面を伴う段差を有する収納ケースを備えた冷蔵庫、特に収納ケースの内部空間のレイアウト変更が可能な冷蔵庫に関する。
【背景技術】
【０００２】
この種の前面を開口した冷蔵庫は、その冷凍室や野菜室の内部に、前後方向にスライド可能な収納ケースを備えている。そして、このようなものにおいて、冷蔵庫本体の底面に、斜面を伴う段差を形成するとともに、冷蔵庫本体の底面側に配置される収納ケースの底面にも、前記冷蔵庫本体の底面形状に合わせた斜面を伴う段差を形成し、これによって冷蔵庫本体の下方に圧縮機等の収容空間を確保しつつ、庫内および収納ケースの容積を大きくできるようにしたものが知られている（例えば、特許文献１参照）。
【先行技術文献】
【特許文献】
【０００３】
【特許文献１】国際公開第ＷＯ９８／０４１８０４号パンフレット（図１）
【発明の概要】
【発明が解決しようとする課題】
【０００４】
しかしながら、底面に斜面を伴う段差がある収納ケースにあっては、以下のような問題点があった。
ａ収納ケース底面の斜面がある部分は、食品が置けず、デッドスペースとなる。
ｂ段差の上段側のスペースに例えば西瓜のような安定性のない丸い食品は置けない。
ｃペットボトルなどの長物の配置が不安定である。
ｄペットボトルなど、長物専用の収納スペースを確保するための仕切り壁を収納ケース内に固定設置すると、その分、他のスペースが圧迫され、収納ケース全体としてスペースの有効利用が図れず、使い勝手が悪い。
【０００５】
本発明の技術的課題は、収納ケースに斜面を伴う段差があっても、食品収納性を高めることができるようにすることにある。
【課題を解決するための手段】
【０００６】
本発明に係る冷蔵庫は、下記の構成からなるものである。すなわち、底面に第一底面部とこれに上向き斜面を介して連続する第二底面部とで形成される段差を有する収納ケースを備えた冷蔵庫において、収納ケースの第一底面部の反斜面側の外縁部と中間部に、それぞれ第１の溝と第２の溝を並設するとともに、収納ケースの第二底面部の斜面側内縁部に、第３の溝を形成し、かつ収納ケース内には、第１乃至第３の溝と選択的に係合可能な複数の係止部を有するＬ字型の仕切り部材を着脱自在に設けたものである。
【発明の効果】
【０００７】
本発明の冷蔵庫によれば、収納ケースの第一底面部の反斜面側の外縁部と中間部に、それぞれ第１の溝と第２の溝を並設するとともに、収納ケースの第二底面部の斜面側内縁部に、第３の溝を形成し、かつ収納ケース内には、第１乃至第３の溝と選択的に係合可能な複数の係止部を有するＬ字型の仕切り部材を着脱自在に設けたので、Ｌ字型の仕切り部材の着脱による収納ケース内空間のレイアウト変更だけでなく、Ｌ字型の仕切り部材を用いての収納ケース内空間の他のレイアウト変更も可能となり、食品収納性を高めることができる。
【図面の簡単な説明】
【０００８】
【図１】本発明の実施の形態１に係る冷蔵庫の収納ケースにおけるＬ字型の仕切り部材の使用例（斜面覆蓋状態）を側方より示す断面図である。
【図２】図１の斜面覆蓋状態にある収納ケースを上方より示す斜視図である。
【図３】本発明の実施の形態１に係る冷蔵庫の収納ケースにおけるＬ字型の仕切り部材の他の使用例（上段画成状態）を側方より示す断面図である。
【図４】図３の上段画成状態にある収納ケースを上方より示す斜視図である。
【図５】本発明の実施の形態１に係る冷蔵庫の収納ケースにおけるＬ字型の仕切り部材の収納例（仕切り部材不使用状態）を側方より示す断面図である。
【図６】図５の仕切り部材不使用状態にある収納ケースを上方より示す斜視図である。
【図７】本発明の実施の形態２に係る冷蔵庫の収納ケースにおけるＬ字型の仕切り部材の使用例（斜面覆蓋状態）を前方より示す要部拡大斜視図である。
【発明を実施するための形態】
【０００９】
実施の形態１．
図１は本発明の実施の形態１に係る冷蔵庫の収納ケースにおけるＬ字型の仕切り部材の使用例（斜面覆蓋状態）を側方より示す断面図、図２は図１の斜面覆蓋状態にある収納ケースを上方より示す斜視図、図３はその収納ケースにおけるＬ字型の仕切り部材の他の使用例（上段画成状態）を側方より示す断面図、図４は図３の上段画成状態にある収納ケースを上方より示す斜視図、図５はその収納ケースにおけるＬ字型の仕切り部材の収納例（仕切り部材不使用状態）を側方より示す断面図、図６は図５の仕切り部材不使用状態にある収納ケースを上方より示す斜視図である。
【００１０】
本実施の形態の冷蔵庫は、図１，図３乃至図６のように収納ケース１の底面に、奥行き方向（図１の左右方向）の奥側（右側）に向かって上向きの斜面１ａを伴う段差部を有し、内部に着脱自在なＬ字型の仕切り部材２を収容している。段差部は、斜面１ａを挟む前後に、下段側となる第一底面部１ｂと、上段側となる第二底面部１ｃとを有する。
【００１１】
第一底面部１ｂには、その反斜面側の外縁部すなわち前縁部と中間部に、それぞれ収納ケース１の横幅方向（図１の紙面直交方向）に延びる第１の溝３と第２の溝４が並設されている。
【００１２】
また、第二底面部１ｃには、その斜面側内縁部に、第３の溝５が形成されている。
【００１３】
Ｌ字型の仕切り部材２は、そのＬ字型の一方の片２ａが他方の片２ｄとの交点部を超えて延出され、この延出部が、収納ケース１の第１及び第３の溝３，５と選択的に係合可能な第１の係止部２ｂとして形成されているとともに、一方の片２ａの反第１の係止部側の端部が、収納ケースの第２の溝４と係合可能な第２の係止部２ｃとして構成されている。また、そのＬ字型の一方の片２ａと他方の片２ｄの互いの長さは、図１のようにこの他方の片２ｄを斜面１ａ側に向けさせた状態で一方の片２ａの第２の係止部２ｃを第２の溝４と係合させたとき、他方の片２ｄの先端が斜面１ａの上辺部に当接して、他方の片２ｄと第二底面部１ｃとが面一となる長さに設定されている。
【００１４】
次に、本実施の形態１の冷蔵庫の収納ケース内のＬ字型の仕切り部材の各種使用例（収納ケース内空間の各種レイアウト設定）について図１乃至図６に基づき説明する。
【００１５】
斜面覆蓋設定
図１及び図２のようにＬ字型の仕切り部材２の他方の片２ｄを斜面１ａ側に向けさせた状態で、Ｌ字型の仕切り部材２の一方の片２ａの第２の係止部２ｃを、第２の溝４に差し込む。
【００１６】
これにより、Ｌ字型の仕切り部材２の他方の片２ｄの先端が斜面１ａの上辺部に当接して、他方の片２ｄと第二底面部１ｃとが面一となり、収納ケース１の斜面１ａが他方の片２ｄにより覆われ、斜面１ａ上方に他方の片２ｄによる新たな食品載置部が形成されて、食品載置可能範囲が拡大し、食品収納性を高めることができる。同時に、Ｌ字型の仕切り部材２の一方の片２ａによって、収納ケース１内の手前側にペットボトルなどの長物専用の収納スペースを画成することができ、使い勝手が向上する。
【００１７】
上段画成設定
Ｌ字型の仕切り部材２を図１及び図２の状態から反転させ、図３及び図４のように他方の片２ｄを第二底面部１ｃと重ねるようにして、第１の係止部２ｂを第３の溝５に差し込む。
【００１８】
これにより、第二底面部１ｃの前縁部（斜面１ａとの境界部）に、Ｌ字型の仕切り部材２の一方の片２ａによる壁を形成することができて、段差の上段側のスペースすなわち第二底面部１ｃ上に例えば西瓜のような安定性のない丸い食品も載置して収納することができ、使い勝手が向上する。
【００１９】
仕切り部材不使用時の収納設定
Ｌ字型の仕切り部材２の他方の片２ｄを図５及び図６のように第一底面部１ｂと重ねるようにして、第１の係止部２ｂを第１の溝３に差し込む。
【００２０】
これにより、Ｌ字型の仕切り部材２が不要な場合は、収納ケース１内の手前側の下部のコーナー部に沿わせてＬ字型の仕切り部材２を収納することができ、収納ケース１内でＬ字型の仕切り部材２が邪魔にならず、仕切をなくすることができる。
【００２１】
実施の形態２．
図７は本発明の実施の形態２に係る冷蔵庫の収納ケースにおけるＬ字型の仕切り部材の使用例（斜面覆蓋状態）を前方より示す要部拡大斜視図であり、図中、前述の実施の形態１と同一部分には同一符号を付してある。
【００２２】
本実施の形態の冷蔵庫１Ｂは、図７のようにＬ字型の仕切り部材２の一方の片２ａを、切欠き２ｅによって門型に形成し、切欠き２ｅを介し、Ｌ字型の仕切り部材２と第一底面部１ｂとで囲われる空間１０内にも小物食品を置けるようにしたものである。
【００２３】
また、一方の片２ａを、切欠き２ｅによって門型にしたことで第２の係止部が二股（２ｆ，２ｇ）となるので、ここでは二股の第２の係止部２ｅ，２ｆに合わせて、これらが係合する収納ケース１側の第一底面部１ｂの第２の溝も図７のように分割溝４ａ，４ｂとし、前後左右の動きを規制できるようにしている。しかし、この第２の溝は必ずしも分割溝４ａ，４ｂとする必要はなく、前述の実施の形態１のように連続溝としてもよいことは言うまでもない。
【００２４】
これにより、Ｌ字型の仕切り部材２設置部分で収納スペースが二階建て構造となり、食品収納性を更に高めることができる。
【００２５】
なお、前述の実施の形態１，２では、段差が収納ケースの奥行き方向に形成されている収納ケースを例に挙げて説明したが、これに限るものでなく、例えば段差が収納ケースの横幅方向に形成されているものにも本発明を適用できることは言うまでもない。
【符号の説明】
【００２６】
１  収納ケース、１ａ  斜面、１ｂ  第一底面部、１ｃ  第二底面部、２  Ｌ字型の仕切り部材、２ａ  Ｌ字型の一方の片、２ｂ  第１の係止部（係止部）、２ｃ  第２の係止部（係止部）、２ｄ  Ｌ字型の他方の片、２ｅ，２ｆ  二股の第２の係止部、３  第１の溝、４  第２の溝、４ａ，４ｂ  分割溝、５  第３の溝。
【図１】
2011012922.tif 000003
【図２】
2011012922.tif 000004
【図３】
2011012922.tif 000005
【図４】
2011012922.tif 000006
【図５】
2011012922.tif 000007
【図６】
2011012922.tif 000008
【図７】
2011012922.tif 000009